(57)【要約】【目的】  リスナーの聴感特性あるいはリスナーの好みに沿って聴感補正をリスナー自身が容易に行う。【解決手段】  ヘッドフォン８を介して再生された聴感補正用基準音に基づいて当該聴感補正用基準音が聴取者の所望の聴感特性となるように、当該聴取者が聴感補正調整を行う操作部１２と、スピーカ９を介して再生された聴感補正用基準音を聴取者の聴取予定位置において測定するマイク１０，１１と、マイク１０，１１により測定された聴感補正用基準音の聴感特性が所望の聴感特性となるようにコントローラ５は、ＤＳＰ４を制御して音場補正を行う。【選択図】      図１
2005309212.tif 000002
【特許請求の範囲】
【請求項１】
ヘッドフォンを介して再生された聴感補正用基準音に基づいて当該聴感補正用基準音が聴取者の所望の聴感特性となるように、当該聴取者が聴感補正調整を行う操作部と、
スピーカを介して再生された前記聴感補正用基準音を前記聴取者の聴取予定位置において測定するマイクと、
前記マイクにより測定された前記聴感補正用基準音の聴感特性が前記所望の聴感特性となるように補正を行う音場補正部と、
を備えたことを特徴とする音場補正装置。
【請求項２】
請求項１記載の音場補正装置において、
前記聴感補正調整の状態を記憶する調整状態記憶部を備えたことを特徴とする音場補正装置。
【請求項３】
請求項１または請求項２記載の音場補正装置において、
前記音場補正部は、ＤＳＰを備え、前記ＤＳＰの係数の設定変更により前記補正を行うことを特徴とする音場補正装置。
【請求項４】
請求項１ないし請求項３のいずれかに記載の音場補正装置において、
前記聴感補正調整は、聴取者音圧レベル調整、周波数帯域別聴取音圧レベル調整あるいは聴取者趣向調整のうち少なくともいずれかを含むことを特徴とする音場補正装置。
【請求項５】
請求項４記載の音場補正装置において、
前記聴取者音圧レベル調整は、前記聴取者にとって複数の音圧レベルの異なる前記聴感補正用基準音の音圧レベルが等しいと感じられるように調整を行わせることを特徴とする音場補正装置。
【請求項６】
請求項４記載の音場補正装置において、
前記周波数帯域別聴取音圧レベル調整は、前記聴取者にとって前記補正用基準音の周波数特性が略平坦な状態と感じられるように調整を行わせることを特徴とする音場補正装置。
【請求項７】
請求項４記載の音場補正装置において、
前記聴取者趣向調整は、前記聴取者にとって前記補正用基準音の周波数特性が趣向に沿ったものとなるように調整を行わせることを特徴とする音場補正装置。
【請求項８】
請求項１ないし請求項７のいずれかに記載の音場補正装置において、
前記ヘッドフォンに前記マイクが一体に設けられていることを特徴とする音場補正装置。
【請求項９】
ヘッドフォン、スピーカ、マイクが接続され、操作部を備えた音場補正装置を制御するための制御方法において、
前記ヘッドフォンを介して再生された聴感補正用基準音に基づいて当該聴感補正用基準音が聴取者の所望の聴感特性となるように、前記操作部を介して当該聴取者に聴感補正調整を行わせる操作過程と、
前記スピーカを介して再生された前記聴感補正用基準音を前記聴取者の聴取予定位置において前記マイクにより測定する測定過程と、
前記マイクにより測定された前記聴感補正用基準音の聴感特性が前記所望の聴感特性となるように補正を行う音場補正過程と、
を備えたことを特徴とする音場補正装置の制御方法。
【請求項１０】
ヘッドフォン、スピーカ、マイクが接続され、操作部を備えた音場補正装置をコンピュータにより制御するための制御プログラムであって、
前記ヘッドフォンを介して再生された聴感補正用基準音に基づいて当該聴感補正用基準音が聴取者の所望の聴感特性となるように、前記操作部を介して当該聴取者に聴感補正調整を行うべく促し、
前記スピーカを介して再生された前記聴感補正用基準音を前記聴取者の聴取予定位置において前記マイクにより測定させ、
前記マイクにより測定された前記聴感補正用基準音の聴感特性が前記所望の聴感特性となるように補正を行わせる、
ことを特徴とする制御プログラム。
【請求項１１】
請求項１０記載の制御プログラムにおいて、
前記聴感補正調整の状態を記憶させることを特徴とする制御プログラム。
【請求項１２】
請求項１０または請求項１１記載の制御プログラムにおいて、
前記音場補正装置は、ＤＳＰを備え、前記ＤＳＰの係数の設定変更を行わせることにより前記補正を行わせることを特徴とする制御プログラム。
【請求項１３】
請求項１０ないし請求項１２のいずれかに記載の制御プログラムにおいて、
前記聴感補正調整は、聴取者音圧レベル調整、周波数帯域別聴取音圧レベル調整あるいは聴取者趣向調整のうち少なくともいずれかを含むことを特徴とする制御プログラム。
【請求項１４】
請求項１３記載の制御プログラムにおいて、
前記聴取者音圧レベル調整は、前記聴取者にとって複数の音圧レベルの異なる前記聴感補正用基準音の音圧レベルが等しいと感じられるように調整を行わせるべく促させることを特徴とする制御プログラム。
【請求項１５】
請求項１３記載の制御プログラムにおいて、
前記周波数帯域別聴取音圧レベル調整は、前記聴取者にとって前記補正用基準音の周波数特性が略平坦な状態と感じられるように調整を行わせるべく促させることを特徴とする制御プログラム。
【請求項１６】
請求項１３記載の制御プログラムにおいて、
前記聴取者趣向調整は、前記聴取者にとって前記補正用基準音の周波数特性が趣向に沿ったものとなるように調整を行わせるべく促させることを特徴とする制御プログラム。
【請求項１７】
請求項１０ないし請求項１６のいずれかに記載の制御プログラムを記録したことを特徴とするコンピュータ読取可能な記録媒体。
【発明の詳細な説明】
【技術分野】
【０００１】
本発明は、音場補正装置、音場補正装置の制御方法、制御プログラムおよび記録媒体に係り、特に、居室内あるいは車室内において音場補正を行うための音場補正装置、音場補正装置の制御方法、制御プログラムおよび記録媒体に関する。
【背景技術】
【０００２】
図６は、等ラウドネス曲線の説明図である。
人間の聴覚の周波数特性については、詳細に分析されており、図６に示すようなフレッチャー・マンソンの等感度曲線（等ラウドネス曲線）が良く知られている。
等ラウドネス曲線の横軸は周波数、縦軸は音圧レベルとなっており、グラフ上の曲線は聴覚上、同じ大きさの音に聞こえる点を線で結んだものである。
具体的には、８０（phon）の曲線を例とすると、１ｋＨｚのときの音圧レベルは約８０ｄＢとなっており、この曲線の２０Ｈｚ付近の音圧レベルは１１８ｄＢとなっている。
【０００３】
このことは、１ｋＨｚの８０ｄＢの音と２０Ｈｚの１１８ｄＢの音とは、人間にとって同じ大きさに聞こえるということを示している。
このように人間の聴覚は周波数に応じて音圧が異なって聞こえることとなっており、従来よりこの人間の聴覚特性に基づいて音場補正を行うことが行われている（例えば、特許文献１参照）
【特許文献１】実開平５−４１２１７号
【発明の開示】
【発明が解決しようとする課題】
【０００４】
図７は、鼓膜上の音圧と外耳道入口の音圧との比（＝鼓膜上音圧／外耳道入口音圧）の平均値と、その標準偏差を示す図である。
図７によれば、周波数によっては平均値と実測値とは大きく差があることが理解できる。
また、実際のリスナー（聴取者）の体型などによっては、さらに聴取条件が異なり、全てのリスナーに共通の設定は困難であった。
すなわち、図６に示した等ラウドネス曲線に基づく補正だけでは、各リスナーに合わせた聴感補正を行うことはできず、聴感補正が確実に行えないという問題が生じる。
【０００５】
これを解決すべく、各リスナー自身が聴感補正を行うことが考えられるが、専門的な知識および技術が必要となり、一般のリスナーが簡単に行えるものではなかった。
そこで、本発明の目的は、リスナーの聴感特性あるいはリスナーの好みに沿って聴感補正をリスナー自身が容易に行うことが可能な音場補正装置、音場補正装置の制御方法、制御プログラムおよび記録媒体を提供することにある。
【課題を解決するための手段】
【０００６】
上記課題を解決するため、ヘッドフォンを介して再生された聴感補正用基準音に基づいて当該聴感補正用基準音が聴取者の所望の聴感特性となるように、当該聴取者が聴感補正調整を行う操作部と、スピーカを介して再生された前記聴感補正用基準音を前記聴取者の聴取予定位置において測定するマイクと、前記マイクにより測定された前記聴感補正用基準音の聴感特性が前記所望の聴感特性となるように補正を行う音場補正部と、を備えたことを特徴としている。
上記構成によれば、操作部において、聴取者は、ヘッドフォンを介して再生された聴感補正用基準音に基づいて当該聴感補正用基準音が聴取者の所望の聴感特性となるように、聴感補正調整を行う。
その後、マイクによりスピーカを介して再生された聴感補正用基準音を聴取者の聴取予定位置において測定し、音場補正部はマイクにより測定された聴感補正用基準音の聴感特性が所望の聴感特性となるように補正を行う。
【０００７】
この場合において、前記聴感補正調整の状態を記憶する調整状態記憶部を備えるようにしてもよい。
また、音場補正部は、ＤＳＰを備え、前記ＤＳＰの係数の設定変更により前記補正を行うようにしてもよい。
さらに、前記聴感補正調整は、聴取者音圧レベル調整、周波数帯域別聴取音圧レベル調整あるいは聴取者趣向調整のうち少なくともいずれかを含むようにしてもよい。
さらにまた、前記聴取者音圧レベル調整は、前記聴取者にとって複数の音圧レベルの異なる前記聴感補正用基準音の音圧レベルが等しいと感じられるように調整を行わせるようにしてもよい。
【０００８】
また、前記周波数帯域別聴取音圧レベル調整は、前記聴取者にとって前記補正用基準音の周波数特性が略平坦な状態と感じられるように調整を行わせるようにしてもよい。
さらに前記聴取者趣向調整は、前記聴取者にとって前記補正用基準音の周波数特性が趣向に沿ったものとなるように調整を行わせるようにしてもよい。
さらにまた、前記ヘッドフォンに前記マイクが一体に設けられているようにしてもよい。
【０００９】
また、ヘッドフォン、スピーカ、マイクが接続され、操作部を備えた音場補正装置を制御するための制御方法は、前記ヘッドフォンを介して再生された聴感補正用基準音に基づいて当該聴感補正用基準音が聴取者の所望の聴感特性となるように、前記操作部を介して当該聴取者に聴感補正調整を行わせる操作過程と、前記スピーカを介して再生された前記聴感補正用基準音を前記聴取者の聴取予定位置において前記マイクにより測定する測定過程と、前記マイクにより測定された前記聴感補正用基準音の聴感特性が前記所望の聴感特性となるように補正を行う音場補正過程と、を備えたことを特徴としている。
【００１０】
また、ヘッドフォン、スピーカ、マイクが接続され、操作部を備えた音場補正装置をコンピュータにより制御するための制御プログラムは、前記ヘッドフォンを介して再生された聴感補正用基準音に基づいて当該聴感補正用基準音が聴取者の所望の聴感特性となるように、前記操作部を介して当該聴取者に聴感補正調整を行うべく促させ、前記スピーカを介して再生された前記聴感補正用基準音を前記聴取者の聴取予定位置において前記マイクにより測定させ、前記マイクにより測定された前記聴感補正用基準音の聴感特性が前記所望の聴感特性となるように補正を行わせる、ことを特徴としている。
【００１１】
この場合において、前記聴感補正調整の状態を記憶させるようにしてもよい。
また、前記音場補正装置は、ＤＳＰを備え、前記ＤＳＰの係数の設定変更を行わせることにより前記補正を行わせるようにしてもよい。
さらに、前記聴感補正調整は、聴取者音圧レベル調整、周波数帯域別聴取音圧レベル調整あるいは聴取者趣向調整のうち少なくともいずれかを含むようにしてもよい。
さらにまた、前記聴取者音圧レベル調整は、前記聴取者にとって複数の音圧レベルの異なる前記聴感補正用基準音の音圧レベルが等しいと感じられるように調整を行わせるべく促させるようにしてもよい。
【００１２】
また、前記周波数帯域別聴取音圧レベル調整は、前記聴取者にとって前記補正用基準音の周波数特性が略平坦な状態と感じられるように調整を行わせるべく促させるようにしてもよい。
さらに、前記聴取者趣向調整は、前記聴取者にとって前記補正用基準音の周波数特性が趣向に沿ったものとなるように調整を行わせるべく促させるようにしてもよい。
また上記各制御プログラムをコンピュータ読取可能な記録媒体に記録してもよい。
【発明の効果】
【００１３】
本発明によれば、専門的な知識や技術を持たない一般的なリスナーであっても、容易に自己に適合した聴感補正を行うことができる。
【発明を実施するための最良の形態】
【００１４】
次に図面を参照して本発明の好適な実施の形態について図面を参照して説明する。
図１は、実施形態の音場補正システムの概要構成ブロック図である。
音場補正システム１は、聴感補正用音源データが格納されたメディア（記録媒体）を再生し、聴感補正用音声データを出力するためのメディア再生装置２と、各種データを予めあるいは一時的に記憶するメモリ３と、各種信号処理を行うディジタル信号処理部（ＤＳＰ）４と、音場補正システム１全体を制御するコントローラ５と、ヘッドフォンアンプ６と、聴感補正用音声信号を増幅するためのパワーアンプ７と、リスナーが装着した状態で聴感補正を行うための聴感補正用ヘッドフォン８と、増幅された聴感補正用音声信号に基づく聴感補正用音声を出力するスピーカ９と、各種操作を行うための操作部１２を備えている。
【００１５】
コントローラ５は、いわゆるコンピュータとして構成されており、音場補正システム１を制御するための制御プログラムを予め格納した図示しないＲＯＭと、各種データを一時的に格納する図示しないＲＡＭと、ＲＯＭ内の制御プログラムに基づいて制御を行う図示しないＣＰＵと、を備えている。
聴感補正用ヘッドフォン８は、スピーカ９から出力された聴感補正用音声が入力される第１測定用マイク（Ｒチャネル用）１０と、スピーカ９から出力された聴感補正用音声が入力される第２測定用マイク（Ｌチャネル用）１１を備えている。
【００１６】
図２は、聴感補正処理の処理フローチャートである。
まず、コントローラ５は、操作部１２を介して聴感補正処理が指示されると、メディア再生装置２に聴感補正用音源データが格納されたメディアＭが挿入されたか否かを判別する（ステップＳ１）。
ステップＳ１の判別において、メディアＭが挿入された場合には、コントローラ５は、メディア再生装置２にメディアＭの再生を行わせて聴感補正用音声データを出力させ、処理をステップＳ３に移行する。
ステップＳ１の判別において、メディアＭが挿入されていない場合には、コントローラ５は、メモリ３に格納してある聴感補正用音声データを読み込ませ（ロードさせ）、処理をステップＳ３に移行する（ステップＳ８）。
次にコントローラ５は、聴感補正調整処理を行う（ステップＳ３）。
【００１７】
図３は、聴感補正調整処理の処理フローチャートである。また、図４は、聴感補正調整処理における各調整処理の共通処理フローチャートである。
まず、コントローラ５は、聴感補正調整処理に移行すると、聴取者音圧レベル調整処理を行う（ステップＳ１１）。
聴取者音圧レベル調整処理において、コントローラ５は、聴感補正用音声データに基づいてＤＳＰ４にヘッドフォンアンプ６および聴感補正用ヘッドフォン８を介して２種類の音圧レベルの異なる聴取者音圧レベル調整用基準音（＝聴感補正用基準音）を出力して再生させる（ステップＳ２１）。
【００１８】
リスナーは、ヘッドフォンアンプ６および聴感補正用ヘッドフォン８を介して右耳には、Ｒチャネルに対応する聴取者音圧レベル調整用基準音が聞こえることとなる。同様にリスナーは、ヘッドフォンアンプ６および聴感補正用ヘッドフォン８を介して左耳には、Ｌチャネルに対応する聴取者音圧レベル調整用基準音が聞こえることとなる。
これによりリスナーは、操作部１２の図示しないボリュームつまみを回して、ＬチャネルおよびＲチャネルのそれぞれの音圧レベルが同一であると感じる位置に調整する（ステップＳ２２）。
上述したように聴取者音圧レベル調整用基準音は音圧レベルが２種類あるので、音圧レベル毎に２回調整を行うこととなる。
続いて、コントローラ５は、操作部１２を介してリスナーの調整処理が終了した旨の確認指示が入力されたか否かを判別する（ステップＳ２３）。
【００１９】
ステップＳ２３の判別において、リスナーが調整処理が終了した旨の確認指示を入力しなかった場合（ステップＳ２３；Ｎｏ）、すなわち、リスナーが再調整の確認指示を入力した場合には、再び処理をステップＳ２１に移行し、以下同様の処理を行う。
ステップＳ２３の判別において、リスナーが調整処理が終了した旨の確認指示を入力した場合には（ステップＳ２３；Ｙｅｓ）、コントローラ５は、調整内容をメモリ３に記録して、聴取者音圧レベル調整処理を終了し、処理をステップＳ１２に移行する。
この結果、音圧レベルに応じたリスナーの聴感感度の違いが検出されることとなる。なお、以上の説明では音圧レベルの種類は２種類であったが、さらに３種類以上調整するように構成することも可能である。
続いて、コントローラ５は、周波数帯域別聴取音圧レベル調整処理を行う（ステップＳ１２）。
【００２０】
周波数帯域別聴取音圧レベル調整処理において、コントローラ５は、聴感補正用音声データに基づいてＤＳＰ４にヘッドフォンアンプ６および聴感補正用ヘッドフォン８を介して複数の周波数帯毎に聴取音圧レベル調整用基準音（＝聴感補正用基準音）を出力して再生させる（ステップＳ２１）。
リスナーは、ヘッドフォンアンプ６および聴感補正用ヘッドフォン８を介して右耳には、Ｒチャネルに対応する複数の周波数帯域毎の聴取音圧レベル調整用基準音が聞こえることとなる。同様にリスナーは、ヘッドフォンアンプ６および聴感補正用ヘッドフォン８を介して左耳には、Ｌチャネルに対応する複数の周波数帯域毎の聴取音圧レベル調整用基準音が聞こえることとなる。
これによりリスナーは、操作部１２の図示しないボリュームつまみを回して、全周波数帯域において、周波数特性がフラットになっていると感じる位置に調整する（ステップＳ２２）。
【００２１】
続いて、コントローラ５は、操作部１２を介してリスナーの調整処理が終了した旨の確認指示が入力されたか否かを判別する（ステップＳ２３）。
ステップＳ２３の判別において、リスナーが調整処理が終了した旨の確認指示を入力しなかった場合（ステップＳ２３；Ｎｏ）、すなわち、リスナーが再調整の確認指示を入力した場合には、再び処理をステップＳ２１に移行し、以下同様の処理を行う。
ステップＳ２３の判別において、リスナーが調整処理が終了した旨の確認指示を入力した場合には（ステップＳ２３；Ｙｅｓ）、コントローラ５は、調整内容をメモリ３に記録して、周波数帯域別聴取音圧レベル調整処理を終了し、処理をステップＳ１３に移行する。
この結果、当該リスナーが周波数特性がフラットであると感じる状態が検出されることとなる。
【００２２】
続いて、コントローラ５は、聴取者趣向調整処理を行う（ステップＳ１３）。
聴取者趣向調整処理において、コントローラ５は、聴感補正用音声データに基づいてＤＳＰ４にヘッドフォンアンプ６および聴感補正用ヘッドフォン８を介して聴取者趣向調整用基準音（＝聴感補正用基準音）を出力して再生させる（ステップＳ２１）。
リスナーは、ヘッドフォンアンプ６および聴感補正用ヘッドフォン８を介して右耳には、Ｒチャネルに対応する聴取者趣向調整用基準音が聞こえることとなる。同様にリスナーは、ヘッドフォンアンプ６および聴感補正用ヘッドフォン８を介して左耳には、Ｌチャネルに対応する聴取者趣向調整用基準音が聞こえることとなる。
【００２３】
これによりリスナーは、操作部１２の図示しないボリュームつまみを回して、いわゆるグラフィックイコライザの調整と同様に、再生音が当該リスナーの好みの周波数特性と感じる位置に調整する（ステップＳ２２）。
続いて、コントローラ５は、操作部１２を介してリスナーの調整処理が終了した旨の確認指示が入力されたか否かを判別する（ステップＳ２３）。
【００２４】
ステップＳ２３の判別において、リスナーが調整処理が終了した旨の確認指示を入力しなかった場合（ステップＳ２３；Ｎｏ）、すなわち、リスナーが再調整の確認指示を入力した場合には、再び処理をステップＳ２１に移行し、以下同様の処理を行う。
ステップＳ２３の判別において、リスナーが調整処理が終了した旨の確認指示を入力した場合には（ステップＳ２３；Ｙｅｓ）、コントローラ５は、調整内容をメモリ３に記録して、聴取者趣向調整処理を終了し、処理をステップＳ４に移行する。
この結果、当該リスナーが好む周波数特性が検出されることとなる。
【００２５】
図５は、聴感補正計算処理の処理フローチャートである。
まず、コントローラ５は、聴感補正回数をチェックする（ステップＳ３１）。
ステップＳ３１の判別において、聴感補正回数が２回目以降である場合には、処理をステップＳ３３に移行する。
ステップＳ３１の判別において、聴感補正回数が１回目である場合には、コントローラ５は、聴感補正用音源データのうちから音場測定用音源データを用いて、ＤＳＰ４を制御して音場測定用基準音（聴感補正用音声を構成）をパワーアンプ７およびスピーカ９を介して出力させ、コントローラ５は、スピーカ９から出力された音場聴感補正用音声を第１測定用マイク１０および第２測定用マイク１１により測定し、基準特性を測定する（ステップＳ３２）。
【００２６】
次にコントローラ５は、聴感補正調整処理（ステップＳ１１〜Ｓ１３）でメモリ３に記録した調整内容データの全てを考慮して全体としての補正データを算出する（ステップＳ３３）。
次にコントローラ５は、算出された補正データに基づいて、ＤＳＰ係数を算出する（ステップＳ５）。
これらの結果、ＤＳＰ４は、メディアＭから聴感補正チェック用データを読み出し、ステップＳ５で算出されたＤＳＰ係数に基づき、ヘッドフォンアンプ６および聴感補正用ヘッドフォン８を介して聴感補正チェック用音声を再生し、出力する（ステップＳ６）。
【００２７】
続いて、コントローラ５は、操作部１２を介してリスナーのチェックが終了した旨の確認指示が入力されたか否かを判別する（ステップＳ７）。
ステップＳ７の判別において、リスナーがチェックが終了した旨の確認指示を入力しなかった場合（ステップＳ７；Ｎｏ）、すなわち、リスナーが再調整の確認指示を入力した場合には、再び処理をステップＳ３に移行し、以下同様の処理を行う。
ステップＳ７の判別において、リスナーが調整処理が終了した旨の確認指示を入力した場合には（ステップＳ７；Ｙｅｓ）、コントローラ５は、処理を終了する。
【００２８】
以上の説明のように、本実施形態によれば、専門的な知識や技術がない一般的なリスナーであっても、当該リスナーの聴感特性あるいはリスナーの好みに沿って聴感補正を容易に行うことが可能となる。
【００２９】
以上の説明においては、音場補正装置１を制御するための制御プログラムがコントローラ５を構成する予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より使い勝手の良い音場補正装置を構成することが可能となる。
【図面の簡単な説明】
【００３０】
【図１】実施形態の音場補正システムの概要構成ブロック図である。
【図２】聴感補正処理の処理フローチャートである。
【図３】聴感補正調整処理の処理フローチャートである。
【図４】聴感補正調整処理における各調整処理の共通処理フローチャートである。
【図５】聴感補正計算処理の処理フローチャートである。
【図６】等ラウドネス曲線の説明図である。
【図７】鼓膜上の音圧と外耳道入口の音圧との比の平均値とその標準偏差を示す図である。
【符号の説明】
【００３１】
１…音場補正システム、２…メディア再生装置、３…メモリ、４…ディジタル信号処理部（ＤＳＰ；音場補正部）、５…コントローラ（音場補正部）、６…ヘッドフォンアンプ、７…パワーアンプ、８…聴感補正用ヘッドフォン、９…スピーカ、１０…第１測定用マイク（Ｒチャネル用）、１１…第２測定用マイク（Ｌチャネル用）、１２…操作部。
【図１】
2005309212.tif 000003
【図２】
2005309212.tif 000004
【図３】
2005309212.tif 000005
【図４】
2005309212.tif 000006
【図５】
2005309212.tif 000007
【図６】
2005309212.tif 000008
【図７】
2005309212.tif 000009